【手続補正書】
【提出日】平成18年10月5日(2006.10.5)
【手続補正１】
【補正対象書類名】明細書
【補正対象項目名】特許請求の範囲
【補正方法】変更
【補正の内容】
【特許請求の範囲】        
【請求項１】  ベクターを含むインビトロ形質転換された細胞であって、該ベクターは、そのアミノ末端でトランスフェリンレセプターヒンジ領域に連結されたＩｇＧ分子のＦｃ部分を含む、免疫刺激性細胞表面ポリペプチドをコードするポリヌクレオチド配列に、作動可能に連結されたプロモーターを含み、ここで、発現に際して、該融合タンパク質は、該細胞表面上で発現される、形質転換された細胞。
【請求項２】  請求項１に記載の形質転換された細胞であって、ここで、前記免疫刺激性細胞表面ポリペプチドが、
（ａ）食細胞を活性化するが；
（ｂ）補体を固定しない、
形質転換された細胞。
【請求項３】  前記細胞が、ヒト細胞；および齧歯類細胞、好ましくは、ハムスター細胞もしくはマウス細胞からなる群から選択される、請求項１に記載の形質転換された細胞。
【請求項４】  アミノ末端でトランスフェリンレセプターヒンジ領域に連結されたＩｇＧ分子のＦｃ部分を含む、免疫刺激性細胞表面ポリペプチドをコードするポリヌクレオチド配列に、作動可能に連結されたプロモーターを含む、組換えポリヌクレオチド。
【請求項５】  請求項４に記載の組換えポリヌクレオチドであって、ここで、前記免疫刺激性細胞表面ポリペプチドが、
（ａ）食細胞を活性化するが；
（ｂ）補体を固定しない、
組換えポリヌクレオチド。
【請求項６】  アミノ末端でトランスフェリンレセプターヒンジ領域に連結されたＩｇＧ分子のＦｃ部分を含む、免疫刺激性細胞表面ポリペプチド。
【請求項７】  アミノ末端でトランスフェリンレセプターヒンジ領域に連結されたＩｇＧ分子のＦｃ部分を含む、免疫刺激性細胞表面ポリペプチドをコードするポリヌクレオチド配列に、作動可能に連結されたプロモーターを含む、ベクター。
【請求項８】  免疫刺激性細胞表面ポリペプチドに対する応答について食細胞を試験するための、スクリーニング方法であって、該方法は、以下：
（ａ）食細胞に、アミノ末端でトランスフェリンレセプターヒンジ領域に連結されたＩｇＧ分子のＦｃ部分を含む免疫刺激性細胞表面ポリペプチドを細胞表面に発現する形質転換された細胞を、インビトロで接触させる工程；および
（ｂ）コントロール食細胞に対して、該食細胞の食作用活性を比較する工程であって、ここで、該食作用活性の増加は、該食細胞が、該細胞表面上のアミノ末端でトランスフェリンレセプターヒンジ領域に連結されたＩｇＧ分子のＦｃ部分を含む免疫刺激性細胞表面ポリペプチドに応答することを示す、工程、
を包含する、方法。
【請求項９】  免疫刺激性細胞表面ポリペプチドに対する食細胞応答を調節する薬剤を同定するための方法であって、該方法は、以下：
（ａ）食細胞に、アミノ末端でトランスフェリンレセプターヒンジ領域に連結されたＩｇＧ分子のＦｃ部分を含む免疫刺激性細胞表面ポリペプチドを細胞表面に発現する形質転換された細胞を、インビトロで接触させる工程；
（ｂ）食細胞に、試験薬剤および該アミノ末端でトランスフェリンレセプターヒンジ領域に連結されたＩｇＧ分子のＦｃ部分を含む免疫刺激性細胞表面ポリペプチドを細胞表面に発現する該形質転換された細胞を、インビトロで接触させる工程；ならびに
（ｃ）該試験薬剤の非存在下での該食細胞の食作用活性を、該試験細胞の存在下での該食細胞の食作用活性と比較する工程であって、ここで、該食作用活性における変化は、該試験薬剤が、該細胞表面上のアミノ末端でトランスフェリンレセプターヒンジ領域に連結されたＩｇＧ分子のＦｃ部分を含む免疫刺激性細胞表面ポリペプチドに対する食細胞応答を調節すること示す、工程
を包含する、方法。
【請求項１０】  免疫刺激性細胞表面ポリペプチドの細胞表面方向に優先的に結合する薬剤を同定するための方法であって、該方法は、以下：
（ａ）試験薬剤に、Ｉ型免疫刺激性細胞表面ポリペプチドを細胞表面に発現する形質転換された細胞を、インビトロで接触させる工程；
（ｂ）該試験薬剤に、アミノ末端でトランスフェリンレセプターヒンジ領域に連結されたＩｇＧ分子のＦｃ部分を含む免疫刺激性細胞表面ポリペプチドを細胞表面に発現する形質転換された細胞を、インビトロで接触させる工程；ならびに
（ｃ）該試験薬剤と該Ｉ型免疫刺激性細胞表面ポリペプチドを細胞表面に発現する形質転換された細胞との接触の効果を、該試験薬剤と該アミノ末端でトランスフェリンレセプターヒンジ領域に連結されたＩｇＧ分子のＦｃ部分を含む免疫刺激性細胞表面ポリペプチドを細胞表面に発現する形質転換された細胞との接触の効果と比較する工程であって、ここで、効果における変化は、該試験薬剤が、該免疫刺激性細胞表面ポリペプチドの該細胞表面方向に優先的に結合することを示す、工程
を包含する、方法。
【請求項１１】  食細胞の活性を刺激するための組成物であって、該組成物は、以下：
アミノ末端でトランスフェリンレセプターヒンジ領域に連結されたＩｇＧ分子のＦｃ部分を含む、免疫刺激性細胞表面ポリペプチドをコードするポリヌクレオチド配列に作動可能に連結されたプロモーターを含む、組換えポリヌクレオチドを含む形質転換された細胞を含み、ここで、該免疫刺激性細胞表面ポリペプチドが、
（ａ）食細胞を活性化するが；
（ｂ）補体を固定しない、
組成物。
【請求項１２】  前記食細胞が、マクロファージ；およびマクロファージ腫瘍細胞からなる群より選択される、請求項１１に記載の組成物。
【請求項１３】  前記形質転換された細胞が、治療化合物を含む、請求項１１または１２に記載の組成物。
【請求項１４】  前記組成物が、宿主中枢神経系への投与に適している、請求項１１〜１３のいずれかに記載の組成物。
【請求項１５】  宿主免疫応答を調節するための組成物であって、該組成物は、以下：
アミノ末端でトランスフェリンレセプターヒンジ領域に連結されたＩｇＧ分子のＦｃ部分を含む、免疫刺激性細胞表面ポリペプチドをコードするポリヌクレオチド配列に作動可能に連結されたプロモーターを含む、組換えポリヌクレオチドを含む形質転換された細胞を含み、ここで、該形質転換された細胞は、宿主免疫応答を刺激する、組成物。
【請求項１６】  宿主の標的細胞において免疫刺激性細胞表面ポリペプチドを発現させることにより、該宿主から該標的細胞を除去するための組成物であって、該組成物は、以下：
アミノ末端でトランスフェリンレセプターヒンジ領域に連結されたＩｇＧ分子のＦｃ部分を含む、免疫刺激性細胞表面ポリペプチドをコードするポリヌクレオチド配列に作動可能に連結されたプロモーターを含む、組換えポリヌクレオチドを含み、ここで、該免疫刺激性細胞表面ポリペプチドが、
（ｉ）食細胞を活性化するが；
（ｉｉ）補体を固定せず、
ここで、宿主中の該標的細胞による該免疫刺激性細胞表面ポリペプチドの発現は、該標的細胞の宿主食細胞媒介性除去を誘導する、
組成物。
【請求項１７】  前記標的細胞が、腫瘍細胞である、請求項１６に記載の組成物。
【請求項１８】  前記免疫刺激性細胞表面ポリペプチドの発現が、構成的であるか、または、誘導性である、請求項１６または１７に記載の組成物。
【請求項１９】  形質転換された細胞において組換えポリペプチドから治療有効量の免疫刺激性細胞表面ポリペプチドを発現させることにより、該宿主における自己免疫障害を処置するための組成物であって、該組成物は、以下：
アミノ末端でトランスフェリンレセプターヒンジ領域に連結されたＩｇＧ分子のＦｃ部分を含む、免疫刺激性細胞表面ポリペプチドをコードするポリヌクレオチド配列に作動可能に連結されたプロモーターを含む、組換えポリヌクレオチドを含む形質転換された細胞を含み、
ここで、宿主中の該標的細胞による該免疫刺激性細胞表面ポリペプチドの発現により、該免疫刺激性細胞表面ポリペプチドが食細胞との接触に供され、該接触に際して、該接触した食細胞は、自己反応性Ｔ細胞を調節して、該宿主におけるＴ細胞の自己反応性を減少させる、
組成物。
【請求項２０】  以下：
（ａ）アミノ末端でトランスフェリンレセプターヒンジ領域に連結されたＩｇＧ分子のＦｃ部分を含む、免疫刺激性細胞表面ポリペプチドをコードするポリヌクレオチド配列に作動可能に連結されたプロモーターを含む、組換えポリヌクレオチドを含む、１つ以上の形質転換された細胞を含むコアであって、該ポリペプチドは、宿主において該細胞に対する免疫応答を刺激し得る、コア；および
（ｂ）該コアを取り囲む、ジャケットであって、選択透過性膜を含む、ジャケット
を含む、組成物。
【請求項２１】  形質転換された細胞から生物学的に活性な分子を分泌させることにより、該生物学的に活性な分子を患者に送達するための組成物であって、該組成物は、以下：
（ａ）アミノ末端でトランスフェリンレセプターヒンジ領域に連結されたＩｇＧ分子のＦｃ部分を含む、免疫刺激性細胞表面ポリペプチドをコードするポリヌクレオチドに作動可能に連結されたプロモーターを含む、組換えポリヌクレオチドを含む、１つ以上の形質転換された細胞を含むコアであって、該ポリペプチドは、宿主において該細胞に対する免疫応答を刺激し得る、コア；および
（ｂ）該コアを取り囲む、ジャケットであって、選択透過性膜を含む、ジャケット、
を有する、カプセル
を含む、組成物。